(57)【要約】    【課題】  ＳＤＴＶ方式の入出力を可能としながら、回路規模を最小にすることができるＨＤＴＶ方式カメラ一体型ＶＴＲ装置を提供する。    【解決手段】  ＳＤＴＶ方式の映像信号を記録する場合は、方式変換回路２０８によってＳＤＴＶ方式からＨＤＴＶ方式に変換を行って記録する。その時、ＳＤＴＶ方式のビューファインダ２１７には、入力回路２０６に入力されたＳＤＴＶ方式の映像信号が選択回路２１３によって選択されて供給される。ＨＤＴＶ方式の映像信号を記録する場合は、方式変換回路２０８を使用せずに記録される。その時、ＳＤＴＶ方式のビューファインダ２１７には、方式変換回路２１２によってＨＤＴＶ方式からＳＤＴＶ方式に変換された映像信号が供給される。また、ＳＤＴＶ方式で再生する場合には、方式変換回路２１２によってＨＤＴＶ方式からＳＤＴＶ方式に変換を行って再生する。【選択図】      図２
2005303626.tif 000002
【特許請求の範囲】
【請求項１】
第１の解像度の第１の画像データと、前記第１の解像度とは異なる第２の解像度の第２の画像データとを入力する入力手段と、
前記入力手段により入力された第１の画像データの解像度を前記第２の解像度に変換する変換手段と、
前記入力手段により入力された前記第２の画像データと、前記変換手段から出力された前記第２の解像度の第１の画像データとのうちの何れか一方を選択する選択手段と、
前記選択手段から出力された第２の解像度の画像データを符号化する符号化手段と、
前記符号化手段により符号化された第２の解像度の画像データを記録媒体に記録する記録手段とを備えたことを特徴とする記録装置。
【請求項２】
前記入力手段により入力された画像データが前記第１の画像データと第２の画像データの何れであるかを判別する判別手段を備え、
前記選択手段は、前記判別手段により前記第１の画像データであると判別された場合には前記変換手段からの第２の解像度の第１の画像データを選択し、前記第２の画像データであると判別された場合には前記入力手段からの第２の画像データを選択することを特徴とする請求項１記載の記録装置。
【請求項３】
前記符号化手段は、フレーム間予測符号化により前記画像データを符号化することを特徴とする請求項１記載の記録装置。
【請求項４】
前記記録媒体から前記符号化された第２の解像度の画像データを再生する再生手段と、
前記再生手段により再生された第２の解像度の画像データを復号する復号手段と、
前記復号手段から出力された第２の解像度の画像データの解像度を第１の解像度に変換する第２の変換手段と、
前記復号手段から出力された第２の解像度の画像データと前記第２の変換手段からの第１の解像度の画像データとのうちの何れか一方を選択して出力する第２の選択手段とを備えたことを特徴とする請求項１記載の記録装置。
【請求項５】
第１の方式または第２の方式の画像データを入力する入力手段と、
前記入力手段の出力画像データまたは入力画像データの方式を判別する方式判別手段と、
前記入力手段の出力画像データを第２の方式から第１の方式に変換する第１の方式変換手段と、
前記方式判別手段の判別結果が第２の方式である場合には前記第１の方式変換手段の出力画像データを選択し、前記第１の方式である場合には前記入力手段の出力画像データを選択する第１の選択手段と、
前記第１の選択手段の出力画像データを記録または再生する第１の方式の記録再生手段と、
前記記録再生手段の再生出力画像データを第１の方式から第２の方式に変換する第２の方式変換手段と、
ユーザが設定可能な出力方式設定手段と、
前記出力方式設定手段の設定が第２の方式である場合には前記第２の方式変換手段の出力画像データを選択し、前記出力方式設定手段の設定が第１の方式である場合には前記記録再生手段の出力画像データを選択する第２の選択手段と、
前記第２の選択手段の出力画像データを出力する出力手段とを備えたことを特徴とする記録再生装置。
【請求項６】
第１の方式または第２の方式の画像データを入力する入力手段と、
前記入力手段の出力画像データまたは入力画像データの方式を判別する方式判別手段と、
前記入力手段の出力画像データを第２の方式から第１の方式に変換する第１の方式変換手段と、
前記判別手段の判別結果が第２の方式である場合には前記第１の方式変換手段の出力画像データを選択し、前記判別手段の判別結果が第１の方式である場合には前記入力手段の出力画像データを選択する第１の選択手段と、
前記第１の選択手段の出力画像データを記録または再生する第１の方式の記録再生手段と、
前記記録再生手段の再生出力画像データを第１の方式から第２の方式に変換する第２の方式変換手段と、
ユーザが設定可能な出力方式設定手段と、
前記出力方式設定手段の設定が第２の方式且つ前記記録再生手段が再生動作の場合には前記第２の方式変換手段の出力画像データを選択し、前記出力方式設定手段の設定が第２の方式且つ前記記録再生手段が再生動作以外の場合には前記入力手段の出力画像データを選択し、前記出力方式設定手段の設定が第１の方式の場合には前記記録再生手段の出力画像データを選択する第２の選択手段と、
前記第２の選択手段の出力画像データを出力する出力手段とを備えたことを特徴とする記録再生装置。
【請求項７】
撮像した撮像信号を第１の方式で出力する撮像手段と、
第１の方式または第２の方式の画像データを入力する入力手段と、
前記入力手段の出力画像データまたは入力信号の有無及び方式を判別する方式判別手段と、
前記入力手段の出力画像データを第２の方式から第１の方式に変換する第１の方式変換手段と、
前記方式判別手段の判別結果が無入力の場合には前記撮像手段の出力を選択し、第２の方式である場合には前記第１の方式変換手段の出力画像データを選択し、第１の方式である場合には前記入力手段の出力画像データを選択する第１の選択手段と、
前記第１の選択手段の出力画像データを記録または再生する第１の方式の記録再生手段と、
前記記録再生手段の再生出力画像データを第１の方式から第２の方式に変換する第２の方式変換手段と、
ユーザが設定可能な出力方式設定手段と、
前記出力方式設定手段の設定が第２の方式である場合には前記第２の方式変換手段の出力画像データを選択し、第１の方式である場合には前記記録再生手段の出力画像データを選択する第２の選択手段と、
前記第２の選択手段の出力画像データを出力する出力手段とを備えたことを特徴とする記録再生装置。
【請求項８】
撮像した撮像信号を第１の方式で出力する撮像手段と、
第１の方式または第２の方式の画像データを入力する入力手段と、
前記入力手段の出力画像データまたは入力信号の有無及び方式を判別する方式判別手段と、
前記入力手段の出力画像データを第２の方式から第１の方式に変換する第１の方式変換手段と、
前記判別手段の判別結果が無入力の場合には前記撮像手段の出力を選択し、第２の方式である場合には前記第１の方式変換手段の出力画像データを選択し、第１の方式である場合には前記入力手段の出力画像データを選択する第１の選択手段と、
前記第１の選択手段の出力画像データを記録または再生する第１の方式の記録再生手段と、
前記記録再生手段の再生出力画像データを第１の方式から第２の方式に変換する第２の方式変換手段と、
ユーザが設定可能な出力方式設定手段と、
前記出力方式設定手段の設定が第２の方式且つ前記記録再生手段が再生動作の場合には前記第２の方式変換手段の出力画像データを選択し、前記出力方式設定手段の設定が第２の方式且つ前記記録再生手段が再生動作以外の場合には前記入力手段の出力画像データを選択し、第１の方式の場合には前記記録再生手段の出力画像データを選択する第２の選択手段と、
前記第２の選択手段の出力画像データを出力する出力手段とを備えたことを特徴とする記録再生装置。
【請求項９】
前記第１の方式変換手段と前記第２の方式変換手段の一部が共用されていることを特徴とする請求項６または８の記録再生装置。
【請求項１０】
前記第１の方式及び前記第２の方式は、それぞれテレビジョン方式であって、前記第１の方式は、前記第２の方式に比べてより情報許容量が大きいことを特徴とするの請求項５乃至９の何れかに記載の記録再生装置。
【請求項１１】
前記第１の方式がＨＤＴＶ方式であり、前記第２の方式がＳＤＴＶ方式であることを特徴とするの請求項１０に記載の記録再生装置。
【発明の詳細な説明】
【技術分野】
【０００１】
本発明は、記録媒体に画像データを記録する記録装置、及び画像データを記録または再生する記録再生装置に関するものである。
【背景技術】
【０００２】
現在、ＮＴＳＣ（National Television System Comitty）方式の映像信号をデジタルデータとして磁気テープに記録再生するＤＶ（Digital Video）フォーマットのビデオテープレコーダが普及している。ＤＶフォーマットには、ハイビジョン方式の映像信号を記録するためのフォーマットも規定されている。
【０００３】
また、近年、ＤＶフォーマットにより規定されたＤＶカセットテープを利用して、ＳＤＴＶ（Standard Difinition TeleVision）方式の映像信号よりも高い解像度のＨＤＴＶ（High Definition TeleVision）方式の映像信号（７２０ｐ）をＭＰＥＧ(Motion Picture Experts Group)符号化して記録再生する、ＨＤフォーマットのビデオテープレコーダが提案されている（例えば、特許文献１参照）。
【特許文献１】特開２００４−１５３８４号公報
【発明の開示】
【発明が解決しようとする課題】
【０００４】
しかしながら、前述したようなＤＶカセットテープを流用した新しいフォーマット（ＨＤフォーマット等）が普及した場合には、現行のＤＶフォーマットで記録されたＤＶカセットテープと新しいフォーマットで記録されたＤＶカセットテープとが混在することが考えられる。
【０００５】
ＤＶフォーマットは、ＪＰＥＧ（Joint Photographic Coding Experts Group ）に準拠したフレーム内符号化により映像信号を符号化して記録するのに対し、ＨＤフォーマットでは、フレーム間予測符号化を利用したＭＰＥＧ符号化により映像信号を符号化して記録している。この他にも、ＤＶフォーマットとＨＤフォーマットでは、エラー訂正符号化の処理や同期、ＩＤデータなど多くの処理が異なっている。そのため、例えば、ＤＶフォーマットにしか対応していないビデオテープレコーダに、ＨＤフォーマットでデータを記録したＤＶカセットテープがセットされた場合には、そのセットされたＤＶカセットテープが記録済みであることを判別することができない。
【０００６】
また、一つのＤＶカセットテープにＤＶフォーマットとＨＤフォーマットが混在して記録されている場合に、両フォーマットに互換性がないと、例えば、高速サーチや編集においてフォーマットの違いが大きな障害となる。これを回避すべく、両フォーマットに互換性を持たせるようにビデオテープレコーダを構成すると、回路規模や機構の複雑化が避けられずコスト高になる、という問題があった。
【０００７】
本発明は上記従来の問題点に鑑み、簡素な構成で異なる方式の画像フォーマットを扱うことができる記録装置及び記録再生装置を提供することを目的とする。
【課題を解決するための手段】
【０００８】
上記目的を達成するために、本発明の記録装置は、第１の解像度の第１の画像データと、前記第１の解像度とは異なる第２の解像度の第２の画像データとを入力する入力手段と、前記入力手段により入力された第１の画像データの解像度を前記第２の解像度に変換する変換手段と、前記入力手段により入力された前記第２の画像データと、前記変換手段から出力された前記第２の解像度の第１の画像データとのうちの何れか一方を選択する選択手段と、前記選択手段から出力された第２の解像度の画像データを符号化する符号化手段と、前記符号化手段により符号化された第２の解像度の画像データを記録媒体に記録する記録手段とを備える。
【０００９】
本発明の記録再生装置は、第１の方式または第２の方式の画像データを入力する入力手段と、前記入力手段の出力画像データまたは入力画像データの方式を判別する方式判別手段と、前記入力手段の出力画像データを第２の方式から第１の方式に変換する第１の方式変換手段と、前記方式判別手段の判別結果が第２の方式である場合には前記第１の方式変換手段の出力画像データを選択し、前記第１の方式である場合には前記入力手段の出力画像データを選択する第１の選択手段と、前記第１の選択手段の出力画像データを記録または再生する第１の方式の記録再生手段と、前記記録再生手段の再生出力画像データを第１の方式から第２の方式に変換する第２の方式変換手段と、ユーザが設定可能な出力方式設定手段と、前記出力方式設定手段の設定が第２の方式である場合には前記第２の方式変換手段の出力画像データを選択し、前記出力方式設定手段の設定が第１の方式である場合には前記記録再生手段の出力画像データを選択する第２の選択手段と、前記第２の選択手段の出力画像データを出力する出力手段とを備えたことを特徴とする。
【００１０】
本発明の記録再生装置は、第１の方式または第２の方式の画像データを入力する入力手段と、前記入力手段の出力画像データまたは入力画像データの方式を判別する方式判別手段と、前記入力手段の出力画像データを第２の方式から第１の方式に変換する第１の方式変換手段と、前記判別手段の判別結果が第２の方式である場合には前記第１の方式変換手段の出力画像データを選択し、前記判別手段の判別結果が第１の方式である場合には前記入力手段の出力画像データを選択する第１の選択手段と、前記第１の選択手段の出力画像データを記録または再生する第１の方式の記録再生手段と、前記記録再生手段の再生出力画像データを第１の方式から第２の方式に変換する第２の方式変換手段と、ユーザが設定可能な出力方式設定手段と、前記出力方式設定手段の設定が第２の方式且つ前記記録再生手段が再生動作の場合には前記第２の方式変換手段の出力画像データを選択し、前記出力方式設定手段の設定が第２の方式且つ前記記録再生手段が再生動作以外の場合には前記入力手段の出力画像データを選択し、前記出力方式設定手段の設定が第１の方式の場合には前記記録再生手段の出力画像データを選択する第２の選択手段と、前記第２の選択手段の出力画像データを出力する出力手段とを備えたことを特徴とする。
【００１１】
本発明の記録再生装置は、撮像した撮像信号を第１の方式で出力する撮像手段と、第１の方式または第２の方式の画像データを入力する入力手段と、前記入力手段の出力画像データまたは入力画像データの有無及び方式を判別する方式判別手段と、前記入力手段の出力画像データを第２の方式から第１の方式に変換する第１の方式変換手段と、前記方式判別手段の判別結果が無入力の場合には前記撮像手段の出力を選択し、第２の方式である場合には前記第１の方式変換手段の出力画像データを選択し、第１の方式である場合には前記入力手段の出力画像データを選択する第１の選択手段と、前記第１の選択手段の出力画像データを記録または再生する第１の方式の記録再生手段と、前記記録再生手段の再生出力画像データを第１の方式から第２の方式に変換する第２の方式変換手段と、ユーザが設定可能な出力方式設定手段と、前記出力方式設定手段の設定が第２の方式である場合には前記第２の方式変換手段の出力画像データを選択し、第１の方式である場合には前記記録再生手段の出力画像データを選択する第２の選択手段と、前記第２の選択手段の出力画像データを出力する出力手段とを備えたことを特徴とする。
【００１２】
本発明の記録再生装置は、撮像した撮像信号を第１の方式で出力する撮像手段と、第１の方式または第２の方式の画像データを入力する入力手段と、前記入力手段の出力画像データまたは入力画像データの有無及び方式を判別する方式判別手段と、前記入力手段の出力画像データを第２の方式から第１の方式に変換する第１の方式変換手段と、前記判別手段の判別結果が無入力の場合には前記撮像手段の出力を選択し、第２の方式である場合には前記第１の方式変換手段の出力画像データを選択し、第１の方式である場合には前記入力手段の出力画像データを選択する第１の選択手段と、前記第１の選択手段の出力画像データを記録または再生する第１の方式の記録再生手段と、前記記録再生手段の再生出力画像データを第１の方式から第２の方式に変換する第２の方式変換手段と、ユーザが設定可能な出力方式設定手段と、前記出力方式設定手段の設定が第２の方式且つ前記記録再生手段が再生動作の場合には前記第２の方式変換手段の出力画像データを選択し、前記出力方式設定手段の設定が第２の方式且つ前記記録再生手段が再生動作以外の場合には前記入力手段の出力画像データを選択し、第１の方式の場合には前記記録再生手段の出力画像データを選択する第２の選択手段と、前記第２の選択手段の出力画像データを出力する出力手段とを備えたことを特徴とする。
【発明の効果】
【００１３】
本発明によれば、簡素な構成で異なる方式の画像データを扱うことが可能になる。
【発明を実施するための最良の形態】
【００１４】
本発明の記録装置及び記録再生装置の実施の形態について、図面を参照しながら説明する。本実施形態の記録再生装置は、例えばＨＤＴＶ方式カメラ一体型記録再生装置に適用される。
【００１５】
［第１の実施の形態］
図１は、本発明の第１の実施の形態に係る記録再生装置であるＨＤＴＶ方式カメラ一体型記録再生装置の構成を示すブロック図である。
【００１６】
このＨＤＴＶ方式カメラ一体型記録再生装置は、カメラ部１０１、ＶＴＲ部１０２、入力端子１０３、入力回路１０４、判別回路１０５、方式変換回路１０６、選択回路１０７，１０８、方式変換回路１０９、切り換えスイッチ１１０、選択回路１１１、出力回路１１２、出力端子１１３、及びビューファインダ１１４を備えている。
【００１７】
これらの構成要素の各機能を説明すると、カメラ部１０１は、撮影した映像をＨＤＴＶ方式のデジタル映像で出力し、ＶＴＲ部１０２はＨＤＴＶ方式のデジタル映像を記録または再生する。また、入力端子１０３は、当該記録再生装置外部からの映像信号を入力するための端子であり、入力回路１０４は、入力端子１０３から入力された映像信号をアナログからデジタルへ変換して出力する。
【００１８】
判別回路１０５は、入力端子１０３に供給される映像信号の有無と方式を判別し、方式変換回路１０６は、ＳＤＴＶ方式の映像信号をＨＤＴＶ方式の映像信号に変換する。選択回路１０７は、入力回路１０４からの映像信号と方式変換回路１０６からの映像信号の何れか一方を選択して出力し、選択回路１０８は、カメラ部１０１からの映像信号と選択回路１０７からの映像信号の何れか一方を選択して出力する。
【００１９】
方式変換回路１０９は、ＨＤＴＶ方式の映像信号をＳＤＴＶ方式の映像信号に変換し、切り換えスイッチ１１０は、出力する方式をユーザによって設定するためのスイッチである。選択回路１１１は、切り換えスイッチ１１０に応じて、ＶＴＲ部１０２からの映像信号と方式変換回路１０９からの映像信号の何れか一方を選択して出力する。出力回路１１２は、選択回路１１１からの映像信号をデジタルからアナログへ変換して出力端子１１３へ出力する。ビューファインダ１１４は、方式変換回路１０９からの映像信号を表示する。
【００２０】
なお、判別回路１０５は、入力端子１０３に接続するようにしたが、入力回路１０４の出力側に接続して、入力回路１０４の出力信号の有無及び方式を判別するようにしてもよい。
【００２１】
以下、上記のように構成されるＨＤＴＶ方式カメラ一体型記録再生装置の動作（Ａ），（Ｂ），（Ｃ），（Ｄ）について説明する。
【００２２】
（Ａ）カメラ撮影モード
次に、カメラ撮影モードにおける動作について説明する。
【００２３】
判別回路１０５は、入力端子１０３から映像信号が入力されていないことを判別して、カメラ部１０１から出力された映像信号を選択するための判別信号を出力する。カメラ部１０１は、被写体の映像を捕らえて、その映像をＨＤＴＶ方式の映像信号として出力する。選択回路１０８は、判別回路１０５からの判別信号により、カメラ部１０１から送出された映像信号を選択して出力する。
【００２４】
ＶＴＲ部１０２は、選択回路１０８から出力された映像信号と、磁気テープから再生した映像信号とを選択的に出力可能であり、ここでは、記録待機状態であるので選択回路１０８からの映像信号を出力する。方式変換回路１０９は、ＶＴＲ部１０２からのＨＤＴＶ方式の映像信号をＳＤＴＶ方式の映像信号に変換して出力する。具体的には、ＳＤＴＶ方式とＨＤＴＶ方式の解像度の差に応じて、ＨＤＴＶ方式の映像信号の画素を間引く処理を行う。すなわち、ＨＤＴＶ方式の映像信号はＳＤＴＶ方式の映像信号に比べて解像度（１画面当たりの画素数）が高いため、この解像度の差に応じてＳＤＴＶ方式の映像信号の画素を補間して、その画素数を増加する処理を行う。
【００２５】
ユーザは切り換えスイッチ１１０を操作して、ＳＤＴＶ方式とＨＤＴＶ方式の何れの方式の映像信号を出力するかを設定する。選択回路１１１は、切り換えスイッチ１１０からの切り換え信号により、出力する映像信号を選択する。すなわち、切り換えスイッチ１１０がＨＤＴＶ方式で出力する設定になっている場合にはＶＴＲ部１０２からの映像信号を選択して出力し、またＳＤＴＶ方式で出力する設定になっている場合には方式変換回路１０９からの映像信号を選択して出力する。
【００２６】
出力回路１１２は、選択回路１１１から出力された映像信号をデジタルからアナログへ変換して、出力端子１１３より当該記録再生装置外部へ出力する。また、ビューファインダ１１４は、方式変換回路１０９から出力された映像信号を表示する。
【００２７】
ＶＴＲ部１０２には、カメラ部１０１から出力された映像信号が供給されているので、自由に記録動作を開始し停止することができる。記録動作の開始の指示があると、ＶＴＲ部１０２は入力されている映像信号をＭＰＥＧ方式で符号化して磁気テープに記録する。
【００２８】
（Ｂ）ＨＤＴＶ入力記録モード
次に、ＨＤＴＶ方式の映像信号が入力された場合の記録モードにおける動作について説明する。
【００２９】
判別回路１０５は、入力端子１０３からＨＤＴＶ方式の映像信号が入力されていることを判別して、入力回路１０４から出力された映像信号を選択するための判別信号を出力する。入力回路１０４は、入力端子１０３から入力されたＨＤＴＶ方式の映像信号をアナログからデジタルへ変換して出力する。選択回路１０７は、判別回路１０５からの判別信号により、入力回路１０４から送出された映像信号を選択して出力し、また選択回路１０８は、判別回路１０５からの判別信号により、選択回路１０７から送出された映像信号を選択して出力する。
【００３０】
ＶＴＲ部１０２は待機状態であるので、選択回路１０８から送出された映像信号を出力し、方式変換回路１０９は、ＶＴＲ部１０２からのＨＤＴＶ方式の映像信号をＳＤＴＶ方式の映像信号に変換して出力する。選択回路１１１は、切り換えスイッチ１１０がＨＤＴＶ方式で出力する設定になっている場合には、ＶＴＲ部１０２から送出された映像信号を選択して出力し、またＳＤＴＶ方式で出力する設定になっている場合には、方式変換回路１０９からの映像信号を選択して出力する。そして、選択回路１１１から出力された映像信号は、出力回路１１２を介して出力端子１１３から当該記録再生装置外部へ出力する。
【００３１】
ＶＴＲ部１０２には、入力端子１０３から入力された映像信号が供給されているので、自由に記録動作を開始し停止することができる。記録動作の開始の指示があると、ＶＴＲ部１０２は入力されている映像信号をＭＰＥＧ方式で符号化して、磁気テープに記録する。
【００３２】
（Ｃ）ＳＤＴＶ入力記録モード
次に、ＳＤＴＶ方式の映像信号が入力された場合の記録モードにおける動作について説明する。
【００３３】
判別回路１０５は、入力端子１０３からＳＤＴＶ方式の映像信号が入力されていることを判別して、入力回路１０４から出力された映像信号を選択するための判別信号を出力する。入力回路１０４は、入力端子１０３から入力されたＳＤＴＶ方式の映像信号をアナログからデジタルへ変換して出力し、方式変換回路１０６は、入力回路１０４から出力されたＳＤＴＶ方式の映像信号をＨＤＴＶ方式の映像信号に変換する。選択回路１０７は、判別回路１０５からの判別信号により、方式変換回路１０６から送出された映像信号を選択して出力し、選択回路１０８は、判別回路１０５からの判別信号により、選択回路１０７から送出された映像信号を選択して出力する。
【００３４】
そして、ＶＴＲ部１０２、方式変換回路１０９、選択回路１１１、出力回路１１２、及びビューファインダ１１４の動作は、前述した、ＨＤＴＶ方式の映像信号が入力された場合の記録モードにおける動作と同様になる。
【００３５】
（Ｄ）再生モードにおける動作
次に、再生モードにおける動作について説明する。
【００３６】
ＶＴＲ部１０２は、磁気テープから再生したＨＤＴＶ方式の映像信号を復号して出力し、方式変換回路１０９は、ＶＴＲ部１０２からのＨＤＴＶ方式の映像信号をＳＤＴＶ方式の映像信号に変換して出力する。選択回路１１１は、切り換えスイッチ１１０がＨＤＴＶ方式で出力する設定になっている場合には、ＶＴＲ部１０２からの映像信号を選択して出力し、またＳＤＴＶ方式で出力する設定になっている場合には、方式変換回路１０９から送出された映像信号を選択して出力する。そして、出力回路１１２は、選択回路１１１からの映像信号をデジタルからアナログへ変換して出力端子１１３から当該記録再生装置外部へ出力する。
【００３７】
本実施の形態によれば、ＨＤＴＶ方式の映像信号のみを記録または再生するＶＴＲ部１０２によって記録再生装置を構成することができ、このＶＴＲ部１０２は単一の映像フォーマットのみを扱うので、構成が簡略化され、特殊再生や編集、残量管理などが複雑にならず、記録再生装置の高品質化、高機能化且つ低価格化を実現することが可能になる。
【００３８】
［第２の実施の形態］
図２は、本発明の第２の実施の形態に係る記録再生装置であるＨＤＴＶ方式カメラ一体型記録再生装置の構成を示すブロック図である。
【００３９】
本実施の形態のＨＤＴＶ方式カメラ一体型記録再生装置は、カメラ部２０１、ＶＴＲ部２０２、操作スイッチ群２０３、入出力制御回路２０４、入力端子２０５、入力回路２０６、判別回路２０７、方式変換回路２０８、選択回路２０９，２１０、ＶＴＲ部制御回路２１１、方式変換回路２１２、選択回路２１３，２１４、出力回路２１５、出力端子２１６、及びビューファインダ２１７を備えている。
【００４０】
カメラ部２０１は撮影した映像をＨＤＴＶ方式のデジタルで出力し、ＶＴＲ部２０２はＨＤＴＶ方式の映像を記録または再生する。入力端子２０５は当該記録再生装置外部からの映像信号を入力し、入力回路２０６は、入力端子２０５から入力された映像信号をアナログからデジタルへ変換して出力する。判別回路２０７は、入力端子２０５に供給される映像信号の有無と方式を判別し、方式変換回路２０８はＳＤＴＶ方式の映像信号をＨＤＴＶ方式の映像信号に変換する。選択回路２０９は、カメラ部２０１からの映像信号と入力回路２０６からの映像信号と方式変換回路２０８からの映像信号の何れか一つを選択して出力する。選択回路２１０は選択回路２０９からの映像信号とＶＴＲ部２０２からの映像信号の何れか一方を選択して出力する。
【００４１】
方式変換回路２１２は、ＨＤＴＶ方式の映像信号をＳＤＴＶ方式の映像信号に変換する。選択回路２１３は、入力回路２０６からの映像信号と方式変換回路２１２からの映像信号の何れか一方を選択して出力し、選択回路２１４は、選択回路２１０からの映像信号と選択回路２１３からの映像信号の何れか一方を選択して出力する。出力回路２１５は、選択回路２１４からの映像信号をデジタルからアナログへ変換して、出力端子２１６を介して当該記録再生装置外部へ出力する。ビューファインダ２１７は、選択回路２１３からの映像信号を表示する。
【００４２】
入出力制御回路２０４は、判別回路２０７の判別信号を受けて、選択回路２０９，２１３，２１４へ出力する制御信号を生成する。ＶＴＲ部制御回路２１１は、操作スイッチ群２０３の操作状態を受けて、ＶＴＲ部２０２を制御すると共に、選択回路２１０，２１４へ出力する制御信号を生成する。
【００４３】
なお、判別回路２０７は、入力端子２０５に接続するようにしたが、入力回路２０６の出力側に接続して、入力回路２０６の出力信号の有無及び方式を判別するようにしてもよい。
【００４４】
以下、上記のように構成される第２の実施の形態に係るＨＤＴＶ方式カメラ一体型記録再生装置の動作（Ａ），（Ｂ），（Ｃ），（Ｄ）について説明する。
【００４５】
（Ａ）カメラ撮影モード
次に、カメラ撮影モードにおける動作について説明する。
【００４６】
カメラ部２０１は、被写体の映像を捕らえて、その映像をＨＤＴＶ方式の映像信号として出力する。選択回路２０９は、入出力制御回路２０４からの制御信号により、カメラ部２０１からの映像信号を選択して出力する。選択回路２１０は、ＶＴＲ部制御回路２１１からの制御信号により、選択回路２０９から出力された映像信号を選択して出力する。方式変換回路２１２は、図１の方式変換回路１０９と同様の処理を行い、選択回路２１０からのＨＤＴＶ方式の映像信号をＳＤＴＶ方式の映像信号に変換して出力する。
【００４７】
選択回路２１３は、入出力制御回路２０４からの制御信号により、方式変換回路２１２から出力された映像信号を選択して出力する。選択回路２１４は、入出力制御回路２０４からの制御信号により、ＨＤＴＶ方式で出力する設定の場合には選択回路２１０からの映像信号を選択して出力し、またＳＤＴＶ方式で出力する設定の場合には選択回路２１３からの映像信号を選択して出力する。出力回路２１５は選択回路２１４からの映像信号をデジタルからアナログへ変換して出力端子２１６から当該記録再生装置外部へ出力する。ビューファインダ２１７は、選択回路２１３からの映像信号を表示する。
【００４８】
ＶＴＲ部２０２は、ＶＴＲ部制御回路２１１からの制御信号により待機状態にある。ユーザが撮影を開始するために、操作スイッチ群２０３に備えられたスタートストップスイッチを操作すると、ＶＴＲ部制御回路２１１はＶＴＲ部２０２に、記録を開始するための制御信号を出力する。ＶＴＲ部２０２は、ＶＴＲ部制御回路２１１からの制御信号により記録状態に移行して、選択回路２０９からの映像信号をＭＰＥＧ方式で符号化し、記録を開始する。
【００４９】
また、ユーザが撮影を終了するために、操作スイッチ群２０３に備えられたスタートストップスイッチを操作すると、ＶＴＲ部制御回路２１１はＶＴＲ部２０２に、記録を終了するための制御信号を出力する。ＶＴＲ部２０２は、ＶＴＲ部制御回路２１１からの制御信号により待機状態に移行して、選択回路２０９からの映像信号の記録を終了する。
【００５０】
（Ｂ）ＨＤＴＶ入力記録モード
次に、ＨＤＴＶ方式の映像信号が入力された場合の記録モードにおける動作について説明する。
【００５１】
入力回路２０６は、入力端子２０５から入力されたＨＤＴＶ方式の映像信号をアナログからデジタルへ変換して出力し、判別回路２０７は、入力端子２０５から入力された映像信号の方式を判別して判別信号を出力する。
【００５２】
入出力制御回路２０４は、判別回路２０７からの判別情報により、入力された映像信号がＨＤＴＶ方式であることを検出する。選択回路２０９は、入出力制御回路２０４からの制御信号により、入力回路２０６からの映像信号を選択して出力する。選択回路２１０は、ＶＴＲ部制御回路２１１からの制御信号により、選択回路２０９からの映像信号を選択して出力する。方式変換回路２１２は、選択回路２１０からのＨＤＴＶ方式の映像信号をＳＤＴＶ方式の映像信号に変換して出力する。
【００５３】
選択回路２１３は、入出力制御回路２０４からの制御信号により、方式変換回路２１２からの映像信号を選択して出力する。選択回路２１４は、入出力制御回路２０４からの制御信号により、ＨＤＴＶ方式で出力する設定の場合には選択回路２１０からの映像信号を選択して出力し、またＳＤＴＶ方式で出力する設定の場合には選択回路２１３からの映像信号を選択して出力する。出力回路２１５は、選択回路２１４からの映像信号をデジタルからアナログへ変換して出力端子２１６から当該記録再生装置外部へ出力する。ビューファインダ２１７は、選択回路２１３からの映像信号を表示する。
【００５４】
ＶＴＲ部２０２は、ＶＴＲ部制御回路２１１からの制御信号により待機状態にある。ユーザが記録を開始するために、操作スイッチ群２０３に備えられたポーズスイッチを操作すると、ＶＴＲ部制御回路２１１はＶＴＲ部２０２に、記録を開始するための制御信号を出力する。ＶＴＲ部２０２は、ＶＴＲ部制御回路２１１からの制御信号により記録状態に移行して、選択回路２０９からの映像信号の記録を開始する。ユーザが記録を終了するために、操作スイッチ群２０３に備えられたポーズスイッチを操作すると、ＶＴＲ部制御回路２１１はＶＴＲ部２０２に、記録を終了するための制御信号を出力する。ＶＴＲ部２０２は、ＶＴＲ部制御回路２１１からの制御信号により待機状態に移行して、選択回路２０９からの映像信号の記録を終了する。
【００５５】
（Ｃ）ＳＤＴＶ入力記録モード
次に、ＳＤＴＶ方式の映像信号が入力された場合の記録モードにおける動作について説明する。
【００５６】
入力回路２０６は、入力端子２０５から入力されたＳＤＴＶ方式の映像信号をアナログからデジタルへ変換して出力する。判別回路２０７は、入力端子２０５から入力された映像信号の方式を判別して判別信号を出力し、入出力制御回路２０４は、判別回路２０７からの判別情報により、入力された映像信号がＳＤＴＶ方式であることを検出する。
【００５７】
方式変換回路２０８は、ＳＤＴＶ方式の映像信号をＨＤＴＶ方式の映像信号に変換して出力する。選択回路２０９は、入出力制御回路２０４からの制御信号により、方式変換回路２０８から出力された映像信号を選択して出力し、選択回路２１０は、ＶＴＲ部制御回路２１１からの制御信号により選択回路２０９から出力された映像信号を選択して出力する。そして、選択回路２１３は、入出力制御回路２０４からの制御信号により、入力回路２０６から出力された映像信号を選択して出力し、選択回路２１４は、入出力制御回路２０４からの制御信号により、ＨＤＴＶ方式で出力する設定の場合には選択回路２１０からの映像信号を選択して出力し、またＳＤＴＶ方式で出力する設定の場合には選択回路２１３からの映像信号を選択して出力する。
【００５８】
出力回路２１５は、選択回路２１４からの映像信号をデジタルからアナログへ変換して出力端子２１６から当該記録再生装置外部へ出力する。ビューファインダ２１７は、選択回路２１３からの映像信号を表示する。
【００５９】
ＶＴＲ部２０２は、ＶＴＲ部制御回路２１１からの制御信号により待機状態にあり、ユーザが記録動作を開始／終了するために、操作スイッチ群２０３に備えられたポーズスイッチを操作したときの動作は、前述した、ＨＤＴＶ方式の映像信号が入力された場合の記録モードにおける動作と同様である。
【００６０】
（Ｄ）再生モードにおける動作
次に、再生モードにおける動作について説明する。
【００６１】
選択回路２１０は、ＶＴＲ部制御回路２１１からの制御信号により、ＶＴＲ部２０２から出力された映像信号を選択して出力し、方式変換回路２１２は、選択回路２１０からのＨＤＴＶ方式の映像信号をＳＤＴＶ方式の映像信号に変換して出力する。選択回路２１３は、入出力制御回路２０４からの制御信号により、方式変換回路２１２から出力された映像信号を選択して出力する。
【００６２】
そして、選択回路２１４は、入出力制御回路２０４からの制御信号により、ＨＤＴＶ方式で出力する設定の場合には選択回路２１０からの映像信号を選択して出力し、またＳＤＴＶ方式で出力する設定の場合には、選択回路２１３からの映像信号を選択して出力する。出力回路２１５は、選択回路２１４からの映像信号をデジタルからアナログへ変換して出力端子２１６から当該記録再生装置外部へ出力する。ビューファインダ２１７は、選択回路２１３からの映像信号を表示する。
【００６３】
ＶＴＲ部２０２は、ＶＴＲ部制御回路２１１からの制御信号により待機状態にある。ユーザが再生を開始するために、操作スイッチ群２０３に備えられたプレイスイッチを操作すると、ＶＴＲ部制御回路２１１はＶＴＲ部２０２に再生を開始するための制御信号を出力する。ＶＴＲ部２０２は、ＶＴＲ部制御回路２１１からの制御信号により再生状態に移行して再生を開始し、その映像信号は出力端子２１６からＨＤＴＶ方式またはＳＤＴＶ方式で当該記録再生装置外部へ出力され、また、その映像はビューファインダ２１７にも表示される。
【００６４】
ユーザが再生を終了するために、操作スイッチ群２０３に備えられたストップスイッチを操作すると、ＶＴＲ部制御回路２１１はＶＴＲ部２０２に再生を終了するための制御信号を出力する。ＶＴＲ部２０２は、ＶＴＲ部制御回路２１１からの制御信号により待機状態に移行して、再生を終了する。
【００６５】
本実施の形態では、上記第１の実施の形態と同等の効果を得ることができる上、次のような効果もある。以下、その効果について図３を用いて説明する。
【００６６】
図３は、本第２の実施の形態に係るＨＤＴＶ方式カメラ一体型記録再生装置における、各動作モードに対応した方式変換回路２０８及び方式変換回路２１２の動作状態を示した図である。
【００６７】
同図に示すように、（Ａ）カメラ撮影モード、（Ｂ）ＨＤＴＶ入力記録モード及び（Ｄ）再生モードでは、方式変換回路２０８は動作せず、方式変換回路２１２は動作する。（Ｃ）ＳＤＴＶ入力記録モードでは、方式変換回路２０８は動作し、方式変換回路２１２は動作しない。
【００６８】
前述した第１の実施の形態では、（Ｃ）ＳＤＴＶ入力記録モードにおいて、方式変換回路１０６（ＳＤＴＶ→ＨＤＴＶ）と方式変換回路１０９（ＨＤＴＶ→ＳＤＴＶ）が同時に動作する場合があったが、本第２の実施の形態では、図３に示すように、（Ａ）〜（Ｄ）何れの動作モードにおいても、方式変換回路２０８（ＳＤＴＶ→ＨＤＴＶ）と方式変換回路２１２（ＨＤＴＶ→ＳＤＴＶ）とが同時に動作することはない。このため、方式変換回路２０８及び方式変換回路２１２は、回路の一部であるフレームメモリを共用することが可能である。
【００６９】
要するに、第２の実施の形態によれば、ＳＤＴＶ方式の映像信号を入力端子２０５から入力して記録するＳＤＴＶ入力記録モードにおいて、ＳＤＴＶ方式からＨＤＴＶ方式に方式を変換する方式変換回路２０８を使用するが、この時、選択回路２１３が、入力されたＳＤＴＶ方式の映像信号（入力回路２０６の出力）を選択して、ＳＤＴＶ方式のビューファインダ２１７と出力端子２１６側へ出力するように構成されているので、ＨＤＴＶ方式からＳＤＴＶ方式に方式を変換する方式変換回路２１２を使用せずに済み、それぞれの方式変換に必要なフレームメモリを共用することが可能であり、装置の小型化及び低価格化に有利である。
【図面の簡単な説明】
【００７０】
【図１】第１の実施の形態に係るＨＤＴＶ方式カメラ一体型記録再生装置の構成を示すブロック図である。
【図２】第２の実施の形態に係るＨＤＴＶ方式カメラ一体型記録再生装置の構成を示すブロック図である。
【図３】第２の実施の形態に係る動作モードに対応した方式変換回路の動作状態を示した図である。
【符号の説明】
【００７１】
１０１  カメラ部
１０２  ＶＴＲ部
１０３  入力端子
１０４  入力回路
１０５  判別回路
１０６  方式変換回路
１０７，１０８，１１１  選択回路
１０９  方式変換回路
１１０  切り換えスイッチ
１１２  出力回路
１１３  出力端子
１１４  ビューファインダ
２０１  カメラ部
２０２  ＶＴＲ部
２０３  操作スイッチ群
２０４  入出力制御回路
２０５  入力端子
２０６  入力回路
２０７  判別回路
２０８  方式変換回路
２０９、２１０、２１３、２１４  選択回路
２１１  ＶＴＲ部制御回路
２１２  方式変換回路
２１５  出力回路
２１６  出力端子
２１７  ビューファインダ
【図１】
2005303626.tif 000003
【図２】
2005303626.tif 000004
【図３】
2005303626.tif 000005